(57)【要約】  本発明は、ブロッコリー頭部および花蕾の工業生産に適した新しい種類のブロッコリー植物に関する。本発明は、平坦であり、複数の個別化した花蕾を含み、かつ葉より上方に突き出て機械による収穫を容易にする頭部を生産するブロッコリー植物に関する。本発明はさらに、処理されたブロッコリーおよび／または包装した食品を製造するための、方法とブロッコリー植物、頭部、および花蕾の使用とに関する。【特許請求の範囲】
【請求項１】
頭部が主軸を備え、前記主軸の上に、上端に花蕾を有する枝分れした派生的な茎がある、収穫可能な段階で前記頭部を有する栽培ブロッコリー植物において、前記花蕾が地面に実質上平行な平面内に含まれることを特徴とする、栽培ブロッコリー植物。
【請求項２】
前記頭部が突き出ていることを特徴とする、請求項１に記載の栽培ブロッコリー植物。
【請求項３】
前記頭部の直径が、約１８ｃｍから約３０ｃｍ、具体的には約２０から３０ｃｍ、具体的には約２０から約２６ｃｍ、より具体的には約２０から約２４ｃｍ、さらに一層具体的には約２０から約２３ｃｍに含まれることを特徴とする、請求項１または２に記載の栽培ブロッコリー植物。
【請求項４】
主軸を備え、前記主軸の上に、上端に花蕾を有する枝分れした派生的な茎があるブロッコリー頭部において、前記頭部が上向きの姿勢で立っている場合、前記花蕾が地面に実質上平行な平面内に含まれることを特徴とする、ブロッコリー頭部。
【請求項５】
直径が、約１８ｃｍから約３０ｃｍ、具体的には約２０から３０ｃｍ、具体的には約２０から約２６ｃｍ、より具体的には約２０から約２４ｃｍ、さらに一層具体的には約２０から約２３ｃｍに含まれることを特徴とする、請求項４に記載のブロッコリー頭部。
【請求項６】
重量が、約２００から約５００ｇ、具体的には約２５０から約５００ｇ、より具体的には約３００から約４５０ｇ、さらに一層具体的には約３００から約４００ｇに含まれることを特徴とする、請求項４に記載のブロッコリー頭部。
【請求項７】
請求項４、５、または６のいずれか一項に記載の少なくとも２個のブロッコリー頭部を含むブロッコリー頭部の集合体。
【請求項８】
前記収穫可能な段階まで請求項１〜３のいずれか一項に記載のブロッコリー植物を植え付け、生長させるステップと、前記植物の前記主茎を切断することによって前記ブロッコリー頭部を収穫するステップとを含む、ブロッコリー頭部の収穫方法。
【請求項９】
収穫可能な段階まで請求項１〜３のいずれか一項に記載の複数本のブロッコリー植物を生長させるステップと、前記植物の前記主茎を切断することによって前記ブロッコリー植物の前記頭部を収穫するステップとを含む、ブロッコリー頭部の生産方法。
【請求項１０】
収穫可能な段階まで請求項１〜３のいずれか一項に記載の複数本のブロッコリー植物を生長させるステップと、前記植物の前記派生的な茎を切断することによって前記ブロッコリー植物の前記花蕾を収穫するステップとを含む、ブロッコリー花蕾の生産方法。
【請求項１１】
ブロッコリー頭部の製造のための請求項１〜３のいずれか一項に記載のブロッコリー植物の使用。
【請求項１２】
前記ブロッコリー頭部が包装されることを特徴とする、請求項１１に記載の使用。
【請求項１３】
個別化した花蕾の製造のための請求項１〜３のいずれか一項に記載のブロッコリー植物の使用。
【請求項１４】
前記花蕾は包装されることを特徴とする、請求項１３に記載の使用。
【請求項１５】
包装されたブロッコリー花蕾の製造のための請求項４〜６のいずれか一項に記載のブロッコリー頭部の使用。
【請求項１６】
ａ．請求項４〜６のいずれか一項に記載のブロッコリー頭部を準備するステップと、
ｂ．前記ブロッコリー頭部の前記派生的な茎を切断するステップと、
ｃ．個別化した花蕾を得るステップと、
ｄ．前記花蕾を包装するステップと
を含む、個別化した包装ブロッコリー花蕾の製造方法。
【発明の詳細な説明】
【技術分野】
【０００１】
本発明は、植物育種に関し、より詳細には生鮮業界および冷凍業界の両方のための機械収穫および機械処理に適応した新規なブロッコリー植物の開発に関する。
【背景技術】
【０００２】
ブロッコリーは、カリフラワーおよびキャベツなどのアブラナ（Ｂｒａｓｓｉｃａ）科の一員であり、その植物学名はアブラナ科ブラシカ属ブロッコリー（Ｂｒａｓｓｉｃａ  ｏｌｅｒａｃｅａｅ  Ｌ．ｖａｒ．ｉｔａｌｉｃａ）である。
【０００３】
ブロッコリーは、地中海沿岸地域原産の植物であり、特にイタリアで何世紀にもわたって栽培されている。実際にはこれはローマ人がお気に入りの野菜とみなされ、彼らは最初は調理時に緑色に変わる紫色の発芽ブロッコリーを食べていた。
【０００４】
その時以来、ブロッコリーは淘汰と交配によって進化し、カラブリーゼ（カラブリアの地域が起源である）などの品種または益々品質の改良された他のブロッコリー品種が得られた。
【０００５】
ブロッコリーはビタミンＣ、Ｋ、およびＡ、ならびに食物繊維が高く、それはまた有力な抗がん特性を有する多様な栄養素、例えばジインドリルメタンおよび少量のセレンを含有する。一皿で３０ｍｇを超えるビタミンＣが得られ、また半カップの量で５２ｍｇのビタミンＣが得られる。ブロッコリー中に見出されるジインドリルメタンは、抗ウィルス、抗菌、および抗がん作用を有する自然免疫反応系の有力な調節因子であると考えられる。ブロッコリーはまた、化合物グルコラファニンを含有し、これは加工処理されて抗がん化合物スルホラファンになることができるが、ブロッコリーのこれら利点はこの野菜を１０分を超えて煮沸した場合に減少する恐れがある。ブロッコリーの高摂取は侵襲性の前立腺がんのリスクを減らすことが分かっている。ブロッコリーの消費はまた、心疾患の予防に役立つことも示されている。
【０００６】
ブロッコリーは一般に煮沸するか蒸されるが、生で食べることもでき、オードブル皿での生野菜として人気を得ている。煮沸はブロッコリー中の、擬似抗がん化合物のレベルを減少させることが示されているが、蒸し煮、電子レンジ調理、乳酸発酵、および炒め煮などの他の調理方法はこれらの化合物の存在を減少させず、したがってまたブロッコリーのすぐれた代替料理法を構成することが示されている。
【０００７】
ブロッコリーは大部分は市場で売買され、加工せずに消費される。実際にはこの植物の食される部分は、多数の極めて小さな蕾の密集を上に有する未熟な頭状花（以下、頭部と呼ぶ）である。
【０００８】
頭部は、それらが十分なサイズになり、均一な緑色の花蕾を有する成熟時に収穫される。
【０００９】
ブロッコリー植物は、その頭部が密にぎっしり詰まり、できるだけ黄色っぽさが少ない均一な暗緑色を有する場合に品質が良いと見なされる。均一な頭部および花蕾の色は、ブロッコリーにおいてしばしば求められる形質である。しかしながら「緑色」の頭部の色は、頭部および花蕾の冠に到達する日光の量の結果として生じる。実際には、黄色っぽさは葉緑素の減少の結果であり（Ｄｅｓｃｈｅｎｅ等、１９９１年）、植物に対する不十分な日光暴露の結果である。
【００１０】
現在市販されているブロッコリー品種は頭部の部分が多くのかつ背の高い葉冠で隠れており、それが頭部の一部および花蕾の黄色っぽさ（主として収穫されたブロッコリー頭部の外側先端部の周囲、また冠の中心において個々の花蕾まで広がることもある）を引き起こす。この多量の葉はまたブロッコリー頭部の収穫の障害物である。
【００１１】
世界中で栽培されている大部分の通常のブロッコリー品種は、一般に平均乃至良好な生長力、地上より上方に約４０〜５０ｃｍの頭部高さ、および約６０〜７０ｃｍの葉冠高さを示す。頭部の色は緑色（薄い緑色から濃い緑色まで）であり、頭部の形状は凸状、すなわち円の内面が地面の方向を向いた円形である。ブロッコリーの頭部の茎は、日光に曝されないせいで黄色またはクリーム色である。この植物の主茎は、その先端に派生的な茎を保持し、頭部を形成する凸平面（レンズ形）上に花蕾が整列している。
【００１２】
ブロッコリーは、一般にヘクタール当たり約３００００〜４００００本の密度で植えられるが、ヘクタールあたり８００００本までのより高密度で植えられる場合も見られる。しかしながら植え付け密度が高いほど頭部のサイズは小さい。
【００１３】
ブロッコリー頭部の収穫は、頭部および花蕾の成熟度および均一性の適切な段階で行われる必要がある。さらに、収穫された頭部および花蕾の適切な取扱いが、感覚器官で感ずる良好な特性（質感および色）および栄養価を維持するために決定的に重要である。実際に、頭部を構成する花蕾の上端に含まれる薄い蕾は圧潰にきわめて敏感であり、花蕾および茎の質感は急速に軟らかくなり、魅力のないものになり、産物の全体の色もまたその魅力を失う恐れがある。
【００１４】
植物のこの構造のためにブロッコリーの収穫は、頭部が成熟に達したときに手作業で行われる。主茎を切り取り、こうして得られた頭部を冷却し、生鮮食料品として市場で売る。この手作業による収穫は労働コストの点で高くつき、ブロッコリー生産の全労働コストの最高６０％までに相当する。
【００１５】
機械収穫の使用による解決策が試みられてきたが、葉の含有量およびそれらの葉内に頭部が深く埋まっていることが重要なために、ブロッコリーを収穫するためのいかなる機械設備の開発においても刈取り設備の故障が問題になる。
【００１６】
ブロッコリーは、加工せずに主に新鮮な頭部として市場で売られる。しかしながら利便性に対する需要に応えるために、かつこの野菜をすぐに食べられる状態でまたはすぐに調理できる状態で消費者に提供するために、袋詰めした個別化した花蕾を求める傾向がある。
【００１７】
この種のパック入りの新鮮なブロッコリー花蕾は、ブロッコリー頭部をきれいにし、次々に花蕾を切り取り、最後には食べられないブロッコリー部分を処分することを必要とせずに消費者がブロッコリーを調理することを可能にするので便利である。
【００１８】
しかしながら、収穫後に個別化した花蕾を作り出すためのブロッコリー頭部の処理コストが大きな問題である。実際に、頭部を形成する花蕾の稠密度および配列、ならびにその頭部の凸状が、花蕾を手作業で切り取り整えることまたはそれらの個別化した花蕾を得るために特別に設計された設備を使用することのいずれかを必要にする。さらに現用の存在するブロッコリー品種においては頭部の処理後に得られる花蕾の均一性は、花蕾を保持する頭部の派生的な茎が同じ長さでもなく同じ幅でもないために常に満足できるとは限らず、したがって得られた花蕾のサイズおよび直径の大きな不均一性が存在する。花蕾を保持する派生的な茎の長さは均一ではなく、それがブロッコリー花蕾の不均一な取り合わせを引き起こす。
【００１９】
またブロッコリーは、単独で、またはすぐに調理できる混合物の状態で他の野菜と組み合わせて、主に個別化した花蕾の形態で冷凍したまま市場で売られることがますます増えている。これらの事例ではまた、収穫の後、産物のすべての感覚器官で感ずる質を保存するためにできるだけ迅速にそのブロッコリー頭部を取り扱いまた処理する必要性が存在する。いったん収穫したらそのブロッコリー頭部を冷凍工場に運び、次いでその頭部をきれいにし、特定の装置により花蕾を切り取る。こうして得られた花蕾をそれらのサイズに従って分離し、必要とされる規格に適合しないものを通常は廃棄し、適切なサイズのものを漂白し冷凍するために残す。得られた副産物（不適切なサイズの花蕾）は、一般には例えばピューレ状にされる。しかしながらこの種の副産物の場合、冷凍に使用される等級づけされた花蕾と比べて値下がりする。
【００２０】
欧州特許第１５９７９６５号明細書は、ブロッコリー植物の頭部が葉冠よりも高いこと、さらにその植物が約３０ｃｍ2を超える表面積を有する葉をその冠の２５ｃｍ以内に含まないことを特徴とする機械収穫に適したブロッコリー植物を開示している。
【００２１】
国際公開第２００７０６２００９号パンフレットは、離れた花蕾が上記花蕾を支える細長い派生的な茎の先端に整列している頭部を有するブロッコリー植物を開示している。
【００２２】
これら両文書は、互いに影響を及ぼすか離れているかどちらかの花蕾を有するブロッコリー植物について記載しているが、これらのブロッコリー植物は、機械収穫および／または個別化した花蕾の処理に完全には適していない。確かに、欧州特許第１５９７９６５号明細書に記載のブロッコリー植物は互いに影響を及ぼす頭部の花蕾の密な配列を示すが、個別化した花蕾を容易に得るためには、得られた頭部の追加の機械的または手作業による処理がまだ必要である。
【００２３】
国際公開第２００７０６２００９号パンフレットに記載のブロッコリー植物に関しては、申し立てによると花蕾は均一な緑色でありかつ個別化できるが、それらは機械的に収穫できず、まだ生鮮カット産業にとってまたは冷凍産業にとって手作業による収穫と、花蕾の分離（収穫した頭部からの花蕾の分離）と、個別化した花蕾の生産に適した植物の栽培に関連したコストの節減に寄与しないトリミングとを必要とする。
【００２４】
例として、Ｔｅｎｄｅｒｓｔｅｍ（登録商標）は細長い茎を有する均一な緑色のブロッコリースプラウト型を指す。これらの産物は、主要部をなす頭部の切り取り後に、それらの上端に発芽によって小さな頭部を有する複数個の派生的な茎を生成するブロッコリー植物の品種によってもたらされる。これらの派生的な茎は、同時には生長せずまた同じ速さでも生長しない。これらのスプラウトは、手でほとんど一つずつ収穫する必要があり、また数日の時間枠にわたって複数回の収穫を行う必要がある。すべてのこれら収穫の制約は、経済的視点から不利であり、この特定のブロッコリー型植物の開発に対する制限要因を構成する。
【発明の概要】
【発明が解決しようとする課題】
【００２５】
これらの頭部および／または花蕾の収穫および／または処理に関連したコストを最小にするために最小の手作業投入で収穫し処理することができる頭部および／または花蕾を生産するブロッコリー植物、具体的には個別化した花蕾の製造の必要性が依然として存在する。本発明は、この問題を解決することを目的とし、また機械によって収穫することができる頭部と、最小の手作業で機械によって収穫かつ／または処理することができる花蕾とを生産するブロッコリー植物を提供する必要性に対処する。
【課題を解決するための手段】
【００２６】
したがって本発明は、頭部が主軸を備え、主軸の上に、上端に花蕾を有する枝分れした派生的な茎がある、収穫可能な段階で前記頭部を有する栽培ブロッコリー植物において、花蕾が地面に実質上平行な平面内に含まれることを特徴とする栽培ブロッコリー植物を提供する。
【００２７】
一実施形態では、本発明によるブロッコリー植物の頭部は突き出ている。
【００２８】
本発明はさらに、そのようなブロッコリー植物によって生産され、それから収穫された収穫ブロッコリー頭部または頭部の集合体を提供する。
【００２９】
一実施形態では、主軸を備え、主軸の上に、上端に花蕾を有する枝分れした派生的な茎があるブロッコリー頭部、好ましくは分離したブロッコリー頭部において、頭部が上向きまたは直立した姿勢で立っている場合、花蕾が地面に実質上平行な平面内に含まれることを特徴とするブロッコリー頭部、好ましくは分離したブロッコリー頭部を提供する。
【００３０】
一つの更なる実施形態では、少なくとも２個のブロッコリー頭部を含み、それぞれが主軸を備え、主軸の上に上端に花蕾を有する枝分れした派生的な茎がある、ブロッコリー頭部、具体的には分離したブロッコリー頭部の集合体において、その頭部が、頭部が上向きまたは直立した姿勢で立っている場合、花蕾が地面に実質上平行な平面内に含まれることを特徴とするブロッコリー頭部、具体的には分離したブロッコリー頭部の集合体を提供する。
【００３１】
表現「分離したブロッコリー頭部」とは、ブロッコリー頭部がブロッコリー植物から分離されること、すなわち頭部が収穫され、主茎を切断することによって植物から切除されたことを意味する。
【００３２】
本発明によるブロッコリー頭部または複数個のブロッコリー頭部の集合体は、ブロッコリー頭部を取り扱い、配達するのに適した食料品に適合する包装により整理することができる。好適な包装は、例えば木材、プラスチック、または段ボールから作られる食料品用に認可された任意の包装であることができる。この包装は、例えば袋のように閉ざされてもよく、また箱のように開いていてもよい。
【００３３】
このようなブロッコリー植物を栽培するための種子が提供される。
【００３４】
本発明は、収穫および処理の問題と、それらに関連したコストとの大部分を減少させることを可能にする。実際に、本発明による栽培ブロッコリー植物は、「多花蕾」および「突出」の形質を含むことができ、これらは両方とも全ての花蕾を地面に実質上平行な一平面内に、また任意選択で葉冠の高さにまたはそれよりも上方に整列させることを可能にする特殊な実施形態を与える。頭部の構造の点では、内側の派生的な茎が外側の派生的な茎よりも短いと考えられる。このような構造は、これらの派生的な茎の上端で全ての花蕾が実質上地面に平行な平面内に含まれることを可能にする。
【００３５】
本発明の文脈においては表現「多花蕾形質」または「多花蕾」は、頭部の花蕾の特定の配列に対応する本発明によるブロッコリー植物の表現型の性質を指す。実際に、本発明によるブロッコリー植物は多花蕾形質を有する、すなわちそれは主軸を備えた頭部を含み、上端に花蕾を有する枝分れした派生的な茎がその上にあり、その頭部は花蕾が地面に実質上平行な平面内に含まれることを特徴とする。
【００３６】
このような配列は、水平面内に含まれている複数個の均一な直径範囲の花蕾を実現する。したがって本発明によるブロッコリー植物のブロッコリー頭部は、湾曲し凸状の在来のブロッコリー頭部と比べて平坦な頭部として性格づけることができる。このような多花蕾形質は実験の段落で示すように遺伝性であり、したがってこの形質を含有する或るブロッコリー親植物を、この形質を同じく含有するまたはしない別のブロッコリー親植物と交配させることよって子孫に移入することができる。親として多花蕾形質を有する少なくとも一方の植物を使用することにより得られるブロッコリー植物は、この多花蕾形質を含有することになる。
【００３７】
一態様において、本発明による植物は突き出ている頭部を含む。表現「突き出ている」または「突出形質」とは、頭部の上端がその植物の葉冠の上端と比べて同じ高さにあること、または頭部の上端が葉冠の上端よりも上方にあることを意味する。冠は、植物、具体的にはブロッコリー植物の最も上の葉の茂った高さである。突出形質は、オレゴン州立大学における公的に利用できるブロッコリー植物に見出され、またそれから得ることができる形質である。例えば、系統ＯＳＵ  ３９９または系統ＯＳＵ  ４２８は、突出形質の供給源として適した植物であることができる。表現「葉冠の上端より上方」とは、頭部の上端（頭部の最も高い点を意味する）が、その植物の葉のまさに上端、すなわち冠で引いた水平線によって画定される高さよりも上方にあることと理解される。したがって正確には葉冠の上端は、個々の葉または葉の一部、例えば植物が土壌中で生長するとき土壌の水準から最も遠く隔たっている葉の先端と定義することができる。同様に、葉冠の底部は、正確には植物が土壌中で生長するとき土壌の水準に最も近い葉または葉の一部と定義することができる。上記表現によれば、それは冠よりも少なくとも１ｃｍ、または少なくとも２ｃｍ、または少なくとも３ｃｍ、または少なくとも４ｃｍ、または少なくとも５ｃｍ、または少なくとも６ｃｍ、または少なくとも７ｃｍ、または少なくとも８ｃｍ、または少なくとも９ｃｍ、または少なくとも１０ｃｍ、または少なくとも１１ｃｍ、または少なくとも１２ｃｍ、または少なくとも１３ｃｍ、または少なくとも１４ｃｍ、または少なくとも１５ｃｍ、または少なくとも１６ｃｍ、または少なくとも１７ｃｍ、または少なくとも１８ｃｍ、または少なくとも１９ｃｍ、または少なくとも２０ｃｍ高くかつ最高で約２５ｃｍ、具体的には最高で約３０ｃｍ高いと理解されたい。
【００３８】
植物のこの態様は、豊富な葉のせいの刈取り装置の故障を避けて機械収穫の可能性を与える。さらに、それはより良好な日光暴露のせいで花蕾の黄色っぽさを減じ、こうして花蕾の、またこれらの花蕾を先端に保持する派生的な茎の均一な色を生じさせる。この「突出形質」は、この形質を含有する植物の子孫に遺伝可能かつ伝達可能である。この形質の移入は、少なくとも一方が「突出形質」を有するブロッコリー植物間の従来の交配によって行うことができる。突出形質を有する少なくとも一方の親植物を交配させることによって得られるブロッコリー植物は、この突出形質を含有することになる。
【００３９】
本出願中で開示される植物は、本明細書中で述べたように多花蕾形質および突出形質を含み、その突出形質および多花蕾形質はＢＲ５１５１２と呼ばれるブロッコリー植物から得ることができ、その代表的な種子は受託番号ＣＧＭＣＣ  ４２４５で寄託されている。
【図面の簡単な説明】
【００４０】
【図１】花蕾が派生的な茎の上端の水平面内に含まれた状態の本発明によるブロッコリー頭部（ＢＲ５１５１２）を示す図である。
【図２】突き出た多花蕾の頭部を有する様々な成熟段階における本発明によるブロッコリー植物（ＢＲ５１５１２）の圃場を示す図である。
【図３】本発明によるブロッコリー植物の花蕾（右側）と多花蕾形質を有しない従来のブロッコリー植物の花蕾（左側）の比較を示す図である。
【図４】異なる茎長を得ることを可能にするように派生的な茎が異なる高さで切り取られた数種類の花蕾の束を載せた皿を示す図である。
【図５】ブロッコリー花蕾の２つの包装袋を示す図であり、この頁の上の写真は本発明による包装したブロッコリー花蕾（ＢＲ５１５１２）を示し、また下の写真はブロッコリーＰａｒｔｈｅｎｏｎ品種の花蕾を示す。
【発明を実施するための形態】
【００４１】
本発明は、多花蕾および突出形質を示す栽培ブロッコリー植物に関する。
【００４２】
用語「栽培ブロッコリー（Ｂｒｏｃｃｏｌｉ）植物」は、本発明の範囲内では、もはや天然の状態ではなく、人間の配慮によって、また人間が使用および／または消費するために開発されたブロッコリー植物を指すものと理解される。「栽培ブロッコリー（Ｂｒｏｃｃｏｌｉ）植物」はさらに、本発明の主題である形質を自然の形質としてかつ／またはそれらの自然の遺伝的性質の一部として含む場合があるそれらの野生型の種を排除するものと理解される。ブロッコリー植物は、アブラナ科ブラシカ属ブロッコリー変種（Ｂｒａｓｓｉｃａ  ｏｌｅｒａｃｅａｅ  Ｌ  ｃｏｎｖａｒ．Ｂｏｔｒｙｔｉｓ（Ｌ））に属する種を指し、これにはブロッコリー交配種および近交系統もまた含まれる。具体的には栽培ブロッコリー植物は、雄性不稔である植物であり、より具体的には細胞質雄性不稔（ＣＭＳ）を含むブロッコリー植物である。ある特定の実施形態では栽培ブロッコリー植物は、ブロッコリー植物に悪影響を与える病気に抵抗力があり、在来種および野生種は抵抗力がない、ブロッコリー植物である。例えば、本発明の文脈における栽培ブロッコリー植物はべと病に抵抗力があることができ、あるいはブラインド・アイに抵抗力があり、またさらにこれら両方の病気に抵抗力があることができる。
【００４３】
本発明の栽培ブロッコリーに関する表現「収穫可能な段階」とは、育種家によって、または栽培者によって一般に理解されるようなブロッコリー頭部の成熟段階を指す。そのような収穫可能な段階は、一般には蕾が密に配列し、まだ開花しておらず、花蕾が十分かつ均一に発育し、一様に緑色であり、地面に実質上平行な平面内に含まれる段階である。
【００４４】
この収穫可能な段階での蕾の密な配列は、蕾密度によって特徴づけることができる。この密度は、平方ミリメートル当たり１蕾（１ｍｍ-2）、より好ましくは２ｍｍ-2、より好ましくは３ｍｍ-2、より好ましくは４ｍｍ-2、最も好ましくは５ｍｍ-2であることができる。
【００４５】
用語「地面に実質上平行な平面内に含まれる」とは、本発明の植物上で生長する全ての花蕾の基線が地面の高さから見てほとんど等しい距離であることを意味する。上記距離が全く同じであることは起こりそうもない。距離の実測差の範囲の変動は、地面の高さから好ましくは５ｃｍ以下、より好ましくは４ｃｍ以下、より好ましくは３ｃｍ以下、より好ましくは２ｃｍ以下、より好ましくは１ｃｍ以下、最も好ましくは０．５ｃｍ以下であるはずである。例えば本発明の植物上で生長させた場合、最も低い位置にある花蕾の基線の高さは地面の高さより４５ｃｍ上方であることができ、また最も高い位置にある花蕾の基線の高さは地面の高さより５０ｃｍ上方であることができる。
【００４６】
したがって本発明による植物のブロッコリー頭部は、収穫可能な段階で約１８ｃｍ〜約３０ｃｍ、具体的には約２０〜３０ｃｍ、より具体的には約２０〜約２６ｃｍ、約２０〜約２４ｃｍ、約２０〜約２３ｃｍの頭部直径を有する。上から見た場合、個々の植物の頭部は完全な円形ではないことが分かるはずである。したがって個々の植物の頭部直径は、上から見たときに頭部の最も幅広の点で測定される直径を意味すると解釈されるべきである。
【００４７】
質量、重量、長さ、時間、または割合の値または量に言及する場合、本明細書中で使用される用語「約」は、幾つかの実施形態では規定値から±２０％、幾つかの実施形態では±１５％、幾つかの実施形態では±１０％、また幾つかの実施形態では±５％の変動を包含することを意味する。
【００４８】
収穫可能な段階は、約２５０００〜約５００００本／ヘクタール、具体的には約３００００〜約４００００本／ヘクタールの密度で植え付けた場合、本発明による植物のブロッコリー頭部が、約２００〜約５００ｇ、具体的には約２５０〜約５００ｇ、より具体的には約３００〜約４５０ｇ、さらに一層具体的には約３００〜約４００ｇの重量を有する段階に当たる。赤道直径で測定される花蕾サイズの点から見てこの収穫可能な段階は、約３０〜約７０％の花蕾について花蕾直径が約３０から約６０ｍｍの間に含まれること、具体的には約４０〜約６０％の花蕾について花蕾直径が約３０から約６０ｍｍの間に含まれることに対応する。一般にブロッコリーの収穫可能な段階は、例えばブルターニュなどの西ヨーロッパの大陸性気候の下で約３００００〜約５００００本／ヘクタール、具体的には約３００００〜約４００００本／ヘクタールの密度で植え付けた場合、植え付け後約６０〜約７０日、具体的には約６３〜約７０日に当たる。
【００４９】
本発明の一実施形態では頭部直径および花蕾直径は、平均頭部直径および平均花蕾直径に対応する。平均直径は、その同じ交配種から得られる子孫植物の統計的に有意なグループの全実測直径の平均を意味するものと解釈される。この場合、前記植物は同時にかつ同一条件下で生長させる。
【００５０】
本明細書中で使用される「形質」は、特性または所与の表現型、例えば病気に対する抵抗力または任意の表現型の性質を指す。形質は、優性または劣性の形で遺伝によって受け継ぐこともでき、単一遺伝子性または多遺伝子性であることもできる。
【００５１】
「植物」は、任意の発育段階の任意の植物、具体的には種子植物である。
【００５２】
本明細書中で使用される表現「植物部分」は、細胞、細胞培養物、花、種子、葉、根、組織、器官、花粉、小胞子、胚珠、あるいは本発明のブロッコリーの種子または植物の細胞由来の組織培養物を含む。
【００５３】
表現「頭部」は、栽培ブロッコリー植物の収穫部分に当たる。それは派生的な茎に付着した花蕾の集まりを指し、これらの派生的な茎はそのブロッコリー植物の主茎の末端に配列している。頭部は主茎の一部、すなわち収穫時に切断点よりも上方にあるその部分を含む。切断点は、好ましくは土壌の高さと、最も低い枝分れした派生的な茎の間のどこか、より好ましくは最も低い枝分れした派生的な茎に近いどこかである。頭部の重量を決定する目的では切断点は、好ましくは最も低い枝分れした派生的な茎よりも下方にある。
【００５４】
本明細書中で使用される表現「主茎」とは、その先端で派生的な茎が始まるブロッコリー植物の主茎または主柄を意味する。切断によってブロッコリー頭部を得るとき、それは派生的な茎が枝分かれする主茎の一部を含む。
【００５５】
本明細書中で使用される表現「派生的な茎」とは、ブロッコリー植物の主茎から枝分かれする、また個々の花蕾を支える（またその一部を形成する）茎を意味する。頭部は、それらの上端に花蕾を有する複数個の派生的な茎を含む。
【００５６】
「花蕾」とは、派生的な茎の上端での蕾の房を指し、それは蕾の房を支えるその派生的な茎の一部を含んでいる。花蕾の集合体が頭部の中に含まれている。花蕾は、開いていない密なブロッコリーの蕾の密度の高い房を提供する。
【００５７】
本明細書中で使用される語句「形質」または「表現型形質」は、個体のゲノム、プロテオーム、および／またはメタボロームと環境の相互作用から生ずるその外観または他の検出可能な特性を指す。
【００５８】
本発明の一態様においてブロッコリー植物の頭部は、葉冠内に深く配置され埋まった花蕾を有していない。これに反して花蕾は、葉冠の高さまたはそれより上方で水平面内に含まれており、こうして日光が花蕾および派生的な茎の束全体に到達することを可能にし、またこうして一様な緑色をその花蕾および派生的な茎に与える。
【００５９】
用語「一様に緑色の花蕾」は、実質上黄色っぽさのない花蕾球または花蕾を指す。一様に緑色の花蕾は、ほぼ緑色またはむらなく緑色である。花蕾を記述するために使用される色分類は、王立園芸協会（Ｒｏｙａｌ  Ｈｏｒｔｉｃｕｌｔｕｒａｌ  Ｓｏｃｉｅｔｙ）の色見本（ＲＨＳ  Ｃｏｌｏｒ  Ｃｈａｒｔ）に基づいている。本発明の植物の花蕾は緑色に類別され、この色（例えば１３７Ａ／Ｂ、１３８Ａ／Ｂ）に関して一様である。在来のブロッコリー品種の花蕾は、「黄緑色」（例えば１４４Ｂ／Ｃ、１４９Ｄ〜１５０Ｄ、および１５４／Ｂ／Ｃ／Ｂ）に類別されるかなりの部分、多くの場合、平均して花蕾球上の個々の花蕾の少なくとも１５％を有する。在来のブロッコリー品種の個々の花蕾は１０％の黄色っぽさしかない。この色の差は、花蕾球から分離した後に側面から見た場合の花蕾（茎を含めた）の色に基づく。在来のブロッコリー品種の蕾球の茎もまた、多くの場合、「黄緑色」（１４４Ｂ／Ｃおよび１４５Ｂ／Ｃ／Ｄ）として類別される。本発明の花蕾球の派生的な茎は緑色（１３７Ａ／Ｂ、１３８Ａ／Ｂ／Ｃ、および１３９Ｄ）に類別することができる。この色の用語法は、Ｔｈｅ  Ｒｏｙａｌ  Ｈｏｒｔｉｃｕｌｔｕｒａｌ  Ｓｏｃｉｅｔｙ  Ｃｏｌｏｒ  Ｃｈａｒｔ（Ｒ．Ｈ．Ｓ．Ｃ．Ｃ）に則り、また色の記述は上記色見本中のプレート・ナンバーを指す。色の呼称、色の記述、および他の表現型の記述は、環境、季節、気候、および栽培の条件の変動に応じて規定の値および記述からそれる場合がある。カラーリファレンスが所与の場合、それらはＲＨＳ  Ｃｏｌｏｒ  Ｃｈａｒｔ，Ｔｈｅ  Ｒｏｙａｌ  Ｈｏｒｔｉｃｕｌｔｕｒａｌ  Ｓｏｃｉｅｔｙ，Ｌｏｎｄｏｎ（２００１年版）を指す。
【００６０】
「黄色っぽさ」または変色は、遮光の結果として花蕾中の黄色の蕾の存在（一般には縁における）を意味する。実質上黄色っぽさのない花蕾とは、黄色い外見を有する花蕾全体の被覆面積の割合によって測定される黄色っぽさが１５％未満の花蕾を指す。黄色っぽさの存在しない花蕾とは、緑色よりも黄色の多い外見を有する花蕾全体の被覆面積の割合によって測定される黄色っぽさが約５％未満の花蕾を指す。別の態様においては花蕾球上の花蕾は、緑色よりも黄色の多い外見を有する花蕾全体の被覆面積の割合によって測定される黄色っぽさが約１０％未満、または約５％未満の平均を有し、黄色っぽさは、花蕾の生長の間に、収穫時に、または収穫後の保管期間の後にいつでも測定することができる。好ましい態様においては黄色っぽさは、緑色よりも黄色の多い外見を有する花蕾全体の被覆面積の割合によって測定される収穫時の花蕾の成熟度で測定される。好ましい態様においては黄色っぽさは、花蕾球由来の花蕾の集団の平均の黄色っぽさとして測定される。好ましい態様において本発明のブロッコリー植物は、緑色よりも黄色の多い外見を有する花蕾全体の被覆面積の割合によって測定される黄色っぽさが約１５％未満、または約１０％未満、または約５％未満の平均を有する花蕾球を含む。
【００６１】
本発明の一態様は、ブロッコリー植物の多花蕾形質である。この形質は、ブロッコリー植物の花蕾が頭部内部の水平面に配列されることを可能にする。このような性質は、最少量の処理および／または取扱いで個別化した花蕾を得ることを可能にする。事実、それら花蕾が湾曲した面内に密に配列するのではなくて水平面内にあるので、花蕾の高さより下方での１回の切り取りにより、最少の労力および最少の労働力で個別化した花蕾を得ることが可能になる。したがって個別化した花蕾を、それらの花蕾を含有する平面より下方の選ばれた高さで切り取ることによって圃場内で直接に得ることができる。別法では、別の実施形態において頭部を主茎の高さで切断することにより圃場内で収穫し、工場に運び、次いでそれらの花蕾を含有する平面の高さより下方での１回の切り取りにより個別化した花蕾を得るために後に処理することができる。本発明によるブロッコリー頭部は、個別化した花蕾を得るためのずっと簡単でかつ迅速な処理を可能にする。さらにこれらの花蕾の実質上同一平面内の配置により、これらの花蕾は、派生的な茎を含めてそれらのサイズおよび緑色に関してより均一である。これは、個別化した花蕾の生産の点でより高収率を得ることを可能にする。したがって本発明によるブロッコリー頭部は、手または機械のどちらかによる最低限の処理入力を必要とし、本発明によるブロッコリーのこのような頭部から花蕾を切り取るように設計されたいかなる特殊な設備も必要としない。
【００６２】
したがって、本発明によるブロッコリー植物を植え付け、収穫可能な段階まで生長させるステップと、主茎を切断することによってブロッコリー植物を収穫するステップとを含むブロッコリー頭部の収穫方法が提供される。
【００６３】
本発明はさらに、ブロッコリー頭部の製造のための本発明によるブロッコリー植物の使用を提供する。一実施形態ではブロッコリー頭部は包装される。したがって本発明によるブロッコリー植物を植え、頭部が形成されるまで生長させることができ、またその主茎を切断することによって頭部を収穫することができる。
【００６４】
本発明はさらに、個別化した花蕾の製造のための本発明によるブロッコリー植物の使用を提供する。一実施形態では個別化した花蕾は包装される。したがって本発明によるブロッコリー植物を植え、頭部が形成されるまで生長させることができ、その派生的な茎を切断することによって花蕾を収穫することができる。別法では花蕾は、本発明による分離したブロッコリー頭部から派生的な茎を切断することによって得ることもできる。分離した花蕾を得るための派生的な茎の切断は、そのブロッコリー植物が生長する圃場で達成することも、またそのブロッコリーが更なる処理のために運ばれる任意の他の場所で達成することもできる。
【００６５】
赤道直径で測定した本発明によるブロッコリー植物の花蕾のサイズは、約３０ｍｍ未満から約６０ｍｍ超の間に含まれる範囲で変わり得る。
【００６６】
したがって、
−  約３０ｍｍ未満の直径を有する花蕾が、頭部の花蕾の総数の約３０〜４５％、具体的には３５％〜約４５％であり、
−  約３０から約４５ｍｍの間に含まれる直径を有する花蕾が、頭部の花蕾の総数の約２０〜４０％、具体的には約２５〜３０％であり、
−  約４５から６０ｍｍの間に含まれる直径を有する花蕾が、頭部の花蕾の総数の１０〜３０％、具体的には約１５〜３５％であり、
−  約６０ｍｍを超える直径を有する花蕾が、頭部の花蕾の総数の約５〜３０％、具体的には約５〜２５％である。
【００６７】
前述のように頭部の花蕾の総数は、前記花蕾を含む水平な植物より下方で前記頭部の派生的な茎を切り取った後に得られる花蕾の量に相当する。本明細書中で以前に使用した用語「より下方」とは、例として、花蕾を含む平面と主茎上への派生的な茎の付着点との間に含まれる高さに対応する。一般には、花蕾より下方の切取り点は、図１中の灰色の長方形のゾーン中に示したものなどの花蕾の基線の低い方の高さより下方の約１から２０ｃｍの間、具体的には約１から１５ｃｍの間、より具体的には約１から１０ｃｍの間、より具体的には約１から５ｃｍの間、さらに一層具体的には約１から３ｃｍの間に含まれる。こうして得られる花蕾は、図３、４、および５に示すように様々な長さを有する茎を示すことができる。
【００６８】
図１から、また図３から本発明によるブロッコリー頭部上の派生的な茎の色は、彩度および均一性の点で一様かつ深い緑色であると推測することができる。比較のために図３上に在来のブロッコリー頭部を左側に示す。茎は白色／クリーム色であり、かつ花蕾もまた一様な緑色でなく、少なくとも５０％の黄色っぽさを示すと推測することができる。
【００６９】
ある実施形態では本発明はまた、本発明による植物から栽培した分離ブロッコリー頭部または複数個のブロッコリー頭部の任意の集合体に関する。このようなブロッコリー頭部は主軸を含み、上端に花蕾を有する枝分れした派生的な茎がその上にあり、その頭部は、頭部が上向きの姿勢で立っている場合、花蕾が地面に実質上平行な平面内に含まれることを特徴とする。
【００７０】
本発明はまた、収穫可能な段階まで本発明による複数本のブロッコリー植物を生長させるステップと、その植物の主茎を切断することによってブロッコリー植物の頭部を収穫するステップとを含むブロッコリー頭部の生産方法を提供する。頭部の収穫は、手作業によってまたは機械的手段によって行うことができる。ブロッコリー頭部を回収し、保存し、包装する手段が提供される。この方法により得られるブロッコリー頭部は、すぐに販売することができる新鮮な収穫ブロッコリー頭部であることができる。代替実施形態ではまた、この方法により得られるブロッコリー頭部をさらに処理することもできる。
【００７１】
ある実施形態では本発明はまた、収穫可能な段階まで本発明による複数本のブロッコリー植物を生長させるステップと、その植物の派生的な茎を切断することによってブロッコリー植物の花蕾を収穫するステップとを含むブロッコリーの花蕾の生産方法を提供する。一実施形態では派生的な茎の切断を機械的手段によって圃場内で行うことができる。これは、花蕾が地面に実質上平行な平面内に含まれるせいで可能になる。したがってブロッコリーの花蕾を圃場で直接に得ることができ、したがってブロッコリー頭部の追加の処理または取扱いを必要としない。実際に、本発明による植物の多花蕾形質のおかげで、このブロッコリー植物は派生的な茎の予め決められた高さでの１回の切り取りで個別化したブロッコリー花蕾を得ることを可能にするので、ブロッコリーの花蕾を圃場で直接に得ることができる。これは、花蕾を圃場で直接に得ることができ、また更なる処理のために工場に引き渡すか、あるいはただ包装し生鮮食料品としていつでも販売できる状態になっているので、ブロッコリー頭部および花蕾の栽培者および加工業者の両方にとって大きな節約を可能にする。
【００７２】
本発明はまた、多花蕾形質および突出形質を任意の他のブロッコリー植物、品種、または栽培変種に伝える方法を提供する。したがって本発明は、一つの特定のブロッコリー栽培変種または品種に限定されず、すべてのブロッコリー品種に応用可能である。実際に、本発明のこの発明の形質、すなわち多花蕾形質および突出形質は、寄託された材料のいずれかから任意の他のブロッコリー植物へ通常の育種によってまたはマーカー支援育種によって遺伝子移入することができる。したがって多花蕾形質および突出形質を有する本発明によるブロッコリー植物がまた提供される。突出形質を有する本発明によるブロッコリー植物がまた提供される。多花蕾形質および突出形質を有する本発明によるブロッコリー植物がまた提供される。
【００７３】
したがって本発明は、本発明によるブロッコリー植物の種子、ならびにＢＲ５１５１２と呼ばれ、その代表的な種子が、ブタペスト条約に従ってＣｈｉｎａ  Ｇｅｎｅｒａｌ  Ｍｉｃｒｏｂｉｏｌｏｇｉｃａｌ  Ｃｕｌｔｕｒｅ  Ｃｏｌｌｅｃｔｉｏｎ  Ｃｅｎｔｅｒ（ＣＧＭＣＣ−Ｎｏ．１  Ｗｅｓｔ  Ｂｅｉｃｈｅｎ  Ｒｏａｄ−Ｃｈａｏｙａｎｇ  Ｄｉｓｔｒｉｃｔ−Ｂｅｉｊｉｎｇ  １００  １０１−Ｃｈｉｎａ）に寄託日２０１０年１０月１９日の受託番号ＣＧＭＣＣ  Ｎｏ．４２４５で寄託されている寄託ブロッコリー植物から誘導、生長、または獲得される任意の植物または植物の一部、あるいは子孫を提供する。
【００７４】
本願中に開示されている多花蕾形質および突出形質は、ＢＲ５１５１２と呼ばれるブロッコリー植物（この代表的な種子は受託番号ＣＧＭＣＣ  ４２４５で寄託されている）から得ることもでき、またＢＲ５１５１２と呼ばれるブロッコリー植物（この代表的な種子は受託番号ＣＧＭＣＣ  ４２４５で寄託されている）から獲得または誘導される多花蕾形質および突出形質を含有する植物の子孫から得ることもできる。
【００７５】
したがって本発明の記述に基づいて、またＢＲ５１５１２と呼ばれるブロッコリー植物（これらの代表的な種子は受託番号ＣＧＭＣＣ  ４２４５で寄託されている）を入手して当業者が、本発明の多花蕾形質および突出形質を、当業界でよく知られている任意の育種技術を使用して様々な種類の任意の他のブロッコリー植物に伝えるのに何の困難もない。
【００７６】
本発明の多花蕾形質および突出形質は、多花蕾形質を欠く任意のブロッコリー植物、または突出形質を欠く任意のブロッコリー植物、または多花蕾形質および突出形質を欠く任意のブロッコリー植物に伝えることができる。
【００７７】
多花蕾形質を決定する遺伝情報は、ＢＲ５１５１２と呼ばれるブロッコリー植物（これらの代表的な種子は受託番号ＣＧＭＣＣ  ４２４５で寄託されている）から、またはこの形質を含有する植物の子孫から得ることができる。
【００７８】
突出形質を決定する遺伝情報は、ＢＲ５１５１２と呼ばれるブロッコリー植物（これらの代表的な種子は受託番号ＣＧＭＣＣ  ４２４５で寄託されている）から、またはこの形質を含有する植物の子孫から得ることができる。
【００７９】
本明細書中で開示されている教示を使用して、突出の形質を決定する遺伝情報および多花蕾の形質を決定する遺伝情報を、別の植物に、例えば前記植物をＢＲ５１５１２と呼ばれるブロッコリー植物（これらの代表的な種子は受託番号ＣＧＭＣＣ  ４２４５で寄託されている）と交配させることによって伝えることもでき、あるいはこれら両方の形質を含み、その交配種の子孫中のこれら形質の存在を決めるこの寄託植物の子孫から別の植物に伝えることもできる。
【００８０】
この多花蕾形質および突出形質の定義を受けて、当業者がこれらの形質の１つまたは複数を有する植物を識別するのに、また交配を介してこれらの形質を継ぐのに何の困難もない。これら形質の分離もまた、それら交配の結果として生ずる子孫中で獲得することができる。
【００８１】
例えば多花蕾形質に関して当業者が、地面に実質上平行な平面内の花蕾の配列を考察することによって、その形質を有するブロッコリー植物を識別し選別するのに何の困難もない。
【００８２】
また突出形質に関して当業者が、ブロッコリー植物を評価し、こうして頭部の上端が葉冠の上端と比べて同じ高さにあるもの、または頭部の上端がその植物の葉冠の上端より上方にあるものを選別することによってその形質を有する植物を識別するのに何の困難もない。
【００８３】
本発明の一実施形態では、従来の育種技術を使用することによって、またその多花蕾形質および／または突出形質を含有するその子孫を選別することによって本発明による多花蕾形質および突出形質を他のブロッコリー植物に伝える方法が提供される。親植物としては、例えばこのＣＧＭＣＣで寄託されているものの遺伝的背景を有するブロッコリー植物を使用することができ、あるいはそれが多花蕾形質および／または突出形質を含有するという条件でその植物由来の任意の子孫を使用することもできる。このような方法は、
−  多花蕾形質、および任意選択で突出形質を有するブロッコリー植物または種子を準備するステップ、
−  開花するまで上記植物または種子を生長させるステップ、
−  その得られた植物を、多花蕾形質を含有しない、また任意選択で突出形質を含有しないブロッコリー植物と交配させるステップ、
−  任意選択で上記交配種の子孫とさらに交配させるステップ、
−  多花蕾形質、および任意選択で突出形質を有する植物を選別するステップ
を含む。
【００８４】
この選別のステップは、突出形質が伝えられた場合には頭部の突出を測定によって評価し、一方では、また他方では多花蕾形質が伝えられた場合には頭部の花蕾の分布を評価する技術的ステップを伴う。
【００８５】
本発明はまた、本発明による植物の雑種種子を生産するための方法を提供する。このような方法は、圃場に本発明によるブロッコリー植物の雄親および雌親の列を植え付けるステップ、開花するまでその植物を生長させるステップ、雄花からの花粉によって雌花の受粉を行うステップ、および雌植物の列から雑種種子を収穫するステップを含む。
【００８６】
この方法は、手による受粉を伴うこともできる。ある実施形態ではこの方法は、雌系統の自家受粉を妨げ、こうして１００％純粋な雑種種子を得るために雄性不稔、具体的には細胞質雄性不稔雌近交系統の使用を含む。
【００８７】
市販のブロッコリー雑種の開発は、当業界でよく知られている技術による同型接合近交系親系統の開発を伴う。望ましい近交系または親系を、連続淘汰によって、続いてその系統が十分に均一になるまで数世代の自殖により徹底させることによって開発する。別法では、葯または小胞子の培養（続いて「ＤＨ」系統とも呼ばれる倍加半数体系統を産生させるための染色体倍加）を使用し、続いて最良の育種系統を選択し、様々な雑種の組合せでの子孫を試験することができる。
【００８８】
いったん最良の雑種性能を与える近交系統が識別されたら、それら近交系親の等質性および同型接合性が維持される限り雑種種子を無制限に生産することができる。用語「近交系ブロッコリー植物」にはまた、その近交系の任意の単一遺伝子変換物が含まれる。本明細書中で使用される用語「単一遺伝子変換植物」は、戻し交配と呼ばれる植物育種技術によって開発されるブロッコリー植物を指し、この戻し交配技術により単一遺伝子が供与親から近交系中へ移入されるのに加えて、近交系の本質的にすべての望ましい形態学的および生理学的特性が回復される。
【００８９】
大規模な雑種種子生産の場合、自家不和合性に基づく交配受粉の様々なシステム、または別法では細胞質雄性不稔（ＣＭＳ）を使用することができる。それらの技術は当業界でよく知られている。
【００９０】
ブロッコリー雑種種子生産の場合、モデム（ｍｏｄｅｍ）システムは、ハツカダイコンからキャベツ（Ｂｒａｓｓｉｃａ  ｏｌｅｒａｃｅａ）中へ遺伝子移入されたＣＭＳを使用する（Ｏｇｕｒａ，Ｈ．の論文（１９６８）、ダイコンにおける新規な雄性不稔に関する研究：特に雑種種子の実地栽培へのこの不稔性の利用について（Ｓｔｕｄｉｅｓ  ｏｎ  ｔｈｅ  ｎｅｗ  ｍａｌｅ  ｓｔｅｒｉｌｉｔｙ  ｉｎ  Ｊａｐａｎｅｓｅ  ｒａｄｉｓｈ，ｗｉｔｈ  ｓｐｅｃｉａｌ  ｒｅｆｅｒｅｎｃｅ  ｔｏ  ｔｈｅ  ｕｔｉｌｉｚａｔｉｏｎ  ｏｆ  ｔｈｉｓ  ｓｔｅｒｉｌｉｔｙ  ｔｏｗａｒｄｓ  ｐｒａｃｔｉｃａｌ  ｒａｉｓｉｎｇ  ｏｆ  ｈｙｂｒｉｄ  ｓｅｅｄ）（Ｍｅｍ  Ｆａｃ  Ａｇｒｉｃ  Ｋａｇｏｓｈｉｍａ  Ｕｎｉｖ．６：３９〜７８））。
【００９１】
したがってまた、雄性不稔でありかつ雑種種子生産に雌親として使用するのに適した本発明による近交系ブロッコリー植物を提供する。一実施形態ではその近交系ブロッコリー植物は細胞質雄性不稔、例えばｏｇｕｒａのｃｍｓまたはｐｏｌｉｍａのｃｍｓによる雄性不稔である。このような植物は、当業界で知られている方法で作ることができる。
【００９２】
本発明はまた、本発明によるブロッコリー植物の子孫と、本発明によるこの発明の植物の形態学的特徴、すなわち多花蕾形質また任意選択で突出形質を有する寄託植物の子孫（自殖により、戻し交配により、または他の植物との交配により得られた）とを含む。
【００９３】
本発明はまた、包装されたブロッコリー頭部の製造のためのこのブロッコリー植物および／またはその頭部の使用に関する。実際に、本発明によるブロッコリー植物から得られる頭部は、幾つかの利益および利点を含む。上記頭部は茎から花蕾まで一様な緑色であり、その花蕾はそれらが平面内に配列しているおかげで十分に個別化され、その結果、消費者にとって利便性が非常に高い。具体的には煮沸、蒸し煮、または炒め煮のいずれかによってブロッコリーを調理する場合、頭部から花蕾を切り取り、個別化することが必要である。一般にこの手順は、それが数回の切取りおよび調理場での処理を必要とするのでブロッコリー消費者の大部分にとって面倒である。本発明による植物のブロッコリー頭部に関しては調理のためのブロッコリーの花蕾の準備が劇的に簡単になる。消費者は、１回の切取りで派生的な茎を切断し、次いで最少の処理および切取りで個体の花蕾を得ることだけが必要である。こうして得られた個体の花蕾を、例えば直接に食し、煮沸し、蒸し煮し、炒め煮することができる。
【００９４】
本発明はまた、包装されたブロッコリーの花蕾の製造のためのそのブロッコリー頭部の使用に関する。したがってその処理産業に対して本発明によるブロッコリー植物は多くの利益および利点を提供する。本発明のブロッコリー頭部の多花蕾形質は、個別化した花蕾を得るための迅速かつ簡単な方法を可能にする。次いでその花蕾を冷蔵または冷凍状態で市場に出荷するのに適した包装にまとめることができる。
【００９５】
したがって本発明は、
−  本発明によるブロッコリー頭部を準備するステップ、
−  そのブロッコリー頭部の派生的な茎を切断するステップ、
−  個別化した花蕾を得るステップ、
−  その花蕾を包装するステップ
を含む個別化されて包装された花蕾を製造するための方法に関する。
【００９６】
花蕾の包装は、軟質または硬質の任意の食料品に適した包装材料で行うことができる。包装されるブロッコリー花蕾は、それらの花蕾の保存寿命を保証または向上させるために調整雰囲気で包装することもでき、また無調整雰囲気で包装することもできる。
【００９７】
次いでその包装した花蕾を、例えば約２〜５℃の適切な冷蔵温度まで冷却することができる。
【００９８】
任意選択で、包装のステップの前に食料品加工の当業者によく知られている方法により花蕾を部分的に調理および／または冷凍してから零下の温度、好ましくは例えば約−１８℃で包装し冷凍保存することもできる。
【実施例】
【００９９】
下記実施例は、本発明の幾つかの実施形態を非限定的な態様において例示することを意図している。
【０１００】
独自開発および公的研究のブロッコリー系統を使用した。
【０１０１】
例えば、オレゴン州立大学（ＯＳＵ）ブロッコリー育種プログラムは、中程度の突き出た頭部と、分離した個々の花蕾とを有する系統を所有する。このＯＳＵ育種プログラムから幾つかの系統種が得られた。これらの系統は、ＯＳＵ  ３９９およびＯＳＵ  ４２８として設計された。これらの系統種は、多花蕾形質ではなく（個別化された花蕾だが整列しておらずまだ凸状頭部である）、処理の低収率または花蕾分離の低品質と、貧弱な蕾の品質と、軟らかな個々の花蕾とを生じさせた。より良好な個々の花蕾を分離するための淘汰は、粒の貧弱な品質および低い処理収率につながった。本発明はこの問題の解決策を見出し、理想的な植物の型、すなわち突き出た頭部と、多花蕾頭部と、満足のいく収率を有する処理後の良質の小さな花蕾とを構築した。
【０１０２】
ＯＳＵ系統および他の利用可能な公的系統の欠点を補償して１００％多花蕾形質および突出形質のブロッコリー植物を得るために、交配設計を行い、突出形質および多花蕾形質のどちらかの植物を選別して除くために大きな母集団を準備した。
【０１０３】
ふるい分けは、例えば冠の高さまたはそれより上方で頭部の突出の手作業または目測による測定、植物の頭部の場合は凸性の測定、ブロッコリー頭部の直径および重量の測定、頭部当たりの花蕾の重量および数の測定を行うなどのより多くの技術的ステップを伴う。この方法は、頭部および花蕾のサイズおよび高さを測定するなどのふるい分けのステップをさらに含む。
【０１０４】
実施例１：植物ＢＲ５１５１２（０１−７１１１−１／０１−７２２９−１  ×  ００Ｇ０２８）の簡単な育種履歴
雌の選択育種
０１−７１１１（３５７Ａ／９１Ａ００５（Ｓ））Ｇｅｎ２  Ｘ  ０１−７２２９（Ｃｈｉｎａ  Ｌｏｎｇ  Ｆ２／／Ｓｕｌｔａｎ  Ｆ８／０９９）Ｇｅｎ１  ２００１
Ｆ１  ２００２年、一回植物選別
Ｆ２  ２００３年、一回植物選別
Ｆ３  ２００４年、一回植物選別
Ｆ４  ２００５年、一回植物選別
Ｆ５  ２００６年、植物の選別（０１−７１１１−１／０１−７２２９−１）
【０１０５】
植物０１−７１１１−１／０１−７２２９−１は、０１−７１１１（独自開発の系統種）と０１−７２２９（Ｃｈｉｎａ  Ｌｏｎｇ  Ｆ２とＳｕｌｔａｎ  Ｆ８の交配によって得られた独自開発の系統種）の交配の結果として生じた。
【０１０６】
この目的は、０１−７１１１の多花蕾形質を０１−７２２９の突出形質と組み合わせた植物を得ることであった。
【０１０７】
数世代にわたる淘汰および自殖の後に、花蕾が地面に平行な平面に正しく整列して平坦な頭部を生じさせる適切なきわめて良好な多花蕾形質を有する植物０１−７１１１−１／０１−７２２９−１を選び出した。
【０１０８】
雄の選択育種
ＯＳＵ  ４２８  ×  （ＲＢ２０）１−７−３／９２−２６８４−１  ２０００
Ｆ１  ２００１年、一回植物選別
Ｆ２  ２００２年、一回植物選別
Ｆ３  ２００３年、一回植物選別
Ｆ４  ２００４年、一回植物選別
Ｆ５  ２００５年、植物の選別（００Ｇ０２８）
【０１０９】
植物００Ｇ０２８は、ＯＳＵ  ４２８（オレゴン州立大学によって提供された）と（ＲＢＲ２０）１−７−３／９２−２６８４−１（独自開発の系統種）の交配の結果として生じた。対象となっている育種の目的は、ＯＳＵ  ４２８由来の突出形質を後者の材料由来の特別な形質と組み合わせて、良好な稠密度と突出形質とを実現する新規な植物を得ることであった。
【０１１０】
数世代にわたる淘汰および自殖の後に、中程度の突出形質と良好な稠密度とを有する植物００Ｇ０２８を選び出した。
【０１１１】
両方の親に対して使用された育種法は、一回植物選別および集団選別の方法を用いた系統選別であった。
【０１１２】
植物ＢＲ５１５１２交配種形成
２００６年に０１−７１１１−１／０１−７２２９−１と００Ｇ０２８の間で交配を行った。その得られた植物は、頭部が葉冠より上方に位置を定められる突出形質と、適切な「平坦な頭部」を有する多花蕾、すなわち地面に平行な水平面内に含まれる花蕾（図２参照）とを作る性質を与える。それはまた、すぐれた全身のべと病抵抗性およびブラインド・アイ抵抗性を与える。
【０１１３】
これは、本発明によるブロッコリー植物を得るために本発明による多花蕾形質を、それを欠く遺伝的背景中に伝え、遺伝子移入することができることを明白に示している。
【０１１４】
寄託植物ＢＲ５１５１２は、本発明による更なるブロッコリー植物を開発するために、在来の育種またはマーカー支援育種により任意のブロッコリー生殖質中に遺伝子移入するための多花蕾形質（また同様に突出頭部の形質）の供給源として使用することができる（実施例２参照）。
【０１１５】
実施例２：新規なＭＦ雑種を構築するためのＭＦ育種スキーム
この寄託系統由来の多花蕾（ＭＦ）形質を２つ以上の遺伝的背景に移入することが可能であることを示した。伝統的な冠型系統から新規なＭＦ雑種を得るために２種類の新規なＭＦ系統（その一方は冠型系統Ａの良好な形質を有し、他方は冠型系統Ｂの良好な形質を有する）の間で交配を行った。
【０１１６】
冠型系統Ａから新規なＭＦ系統を開発するために寄託ＭＦ系統と冠型系統Ａの植物との間で交配を行った。次いでその得られた３元雑種を寄託ＭＦ系統と戻し交配させた。ＢＣ１ではＭＦ形質および系統Ａの良好な農業形質に関して植物を選択し、自殖させた。この過程をさらに３回繰り返した。この過程の終わりに系統Ａの良好な形質を有する新規な固定性ＭＦ系統が得られた（ＢＣ１Ｆｎ）。各交配のステップの後、突き出た頭部を有し、かつ地面に実質上平行な平面内に含まれる花蕾を有するブロッコリー植物をさらなる交配のために選択した。この突き出る頭部の形質と、花蕾が地面に実質上平行な平面内に含まれる形質とは単純なメンデルの様式で受け継がれることは明白であった。
【０１１７】
冠型系統Ｂから新規なＭＦ系統を開発するために同じ過程がたどられた。
【０１１８】
次いで、これら２つの新規なＭＦ系統を交配して、本発明による植物のすべての特徴を有する新規なＭＦ雑種を得た。
【０１１９】
実施例３：収穫された頭部および花蕾の特徴
植物ＢＲ５１５１２を、ブルターニュで夏に４００００本／ヘクタールの密度で植え付けた。この植物は、葉冠より上方に頭部を有する良好な突出形質と、花蕾が水平面内に満足の行くように含まれたきわめて良好な多花蕾形質とを示す（図１および２参照）。これら頭部は良好な稠密度を示し、茎および花蕾は極度の緑色であり、かつ機械収穫に十分に適合する。
【０１２０】
植え付け後６１日と６８日の間の収穫枠内でブロッコリー頭部を収穫した。頭部の平均直径は２３ｃｍであり、また頭部の平均重量は３５０ｇであった。頭部当たりの花蕾の平均数は３０個であり、またサイズによる再区分は、
３０ｍｍ未満の直径の花蕾が４５％、
３０から４５ｍｍの間に含まれる直径の花蕾が３０％、
４５から６０ｍｍの間に含まれる直径の花蕾が２０％、
６０ｍｍを超える直径の花蕾が５％
であった。
【０１２１】
ブロッコリー植物ＢＲ５１５１２から生長させたブロッコリー頭部から、派生的な茎を切断することによって花蕾を得た。短い茎の花蕾は、それらの花蕾を含む水平面よりほんの少し下方の高さで派生的な茎を切り取ることによって得た（図３の右側）。より長い茎は、花蕾より下方で、派生的な茎の主茎上への挿入点までに得られる様々な高さで頭部の派生的な茎を切り取ることによって得た（図４）。
【０１２２】
こうして、この得られた個別化した花蕾をプラスチックの袋に詰め（図５）、最長９日間までのあいだ＋４℃の冷蔵保存状態で維持した。品質はきわめて良好〜良好として格付けされる状態であり、切断面にきわめてわずかな乾燥が見えるが色はまだ非常に鮮やかであった。本発明による花蕾のサイズおよび緑色はきわめて均一かつ等質であった。これと比較して、ブロッコリー品種Ｐａｒｔｈｅｎｏｎ由来のブロッコリー花蕾を同じ条件に従って入手、包装、保管した。全体的な品質は保管の間ずっと本発明によるブロッコリー花蕾と同等の状態に保たれたが、Ｐａｒｔｈｅｎｏｎの花蕾の色およびサイズは、本発明によるブロッコリー植物の花蕾と比べて大幅に異なり、サイズおよび色がきわめて異質であり、またずっと魅力がないことを図５から容易に知ることができる。
【０１２３】
本明細書中で開示された本発明によるＳｙｎｇｅｎｔａブロッコリー植物ＢＲ５１５１２の寄託は、ブタペスト条約に従ってＣｈｉｎａ  Ｇｅｎｅｒａｌ  Ｍｉｃｒｏｂｉｏｌｏｇｉｃａｌ  Ｃｕｌｔｕｒｅ  Ｃｏｌｌｅｃｔｉｏｎ  Ｃｅｎｔｅｒ（ＣＧＭＣＣ−Ｎｏ．１  Ｗｅｓｔ  Ｂｅｉｃｈｅｎ  Ｒｏａｄ−Ｃｈａｏｙａｎｇ  Ｄｉｓｔｒｉｃｔ−Ｂｅｉｊｉｎｇ  １００  １０１−Ｃｈｉｎａ）に寄託日２０１０年１０月１９日の受託番号ＣＧＭＣＣ  Ｎｏ．４２４５で行われた。
【図１】
2014501523.tif 000002
【図２】
2014501523.tif 000003
【図３】
2014501523.tif 000004
【図４】
2014501523.tif 000005
【図５】
2014501523.tif 000006
【国際調査報告】
2014501523.tif 000007
2014501523.tif 000008
2014501523.tif 000009